(57)【要約】      （修正有）【課題】駆動用ＩＣ内部での配線抵抗を低減し、安定した電源供給を行う。【解決手段】配線が形成された表示用基板と、当該表示用基板上に実装される駆動用ＩＣと、を備えた表示装置において、前記駆動用ＩＣの内部の電源用配線を外部配線として前記表示用基板側に設けると共に、前記駆動用ＩＣに前記外部配線と接続可能な接続端子を設け、前記駆動用ＩＣ内部の電源用配線と前記外部配線とを併用して前記駆動用ＩＣにおける電源供給が行われることを特徴とする。【選択図】図２
2008180848.tif 000002
【特許請求の範囲】
【請求項１】
配線が形成された表示用基板と、当該表示用基板上に実装される駆動用ＩＣと、を備え
た表示装置において、
前記駆動用ＩＣの内部の電源用配線を外部配線として前記表示用基板側に設けると共に
、前記駆動用ＩＣに前記外部配線と接続可能な接続端子を設け、前記駆動用ＩＣ内部の電
源用配線と前記外部配線とを併用して前記駆動用ＩＣにおける電源供給が行われることを
特徴とする表示装置。
【請求項２】
前記表示用基板に接続され且つ表示装置駆動用の信号を伝送するためのフィルム配線が
形成された可撓性フィルムを有し、
前記外部配線が、前記可撓性フィルムに形成されることを特徴とする請求項１記載の表
示装置。
【請求項３】
前記可撓性フィルムは、当該可撓性フィルムの一方の面と他方の面との間を導通させる
一対の導通孔と、前記可撓性フィルムにおける前記表示用基板に接続される側の面とは逆
側の面に形成され且つ前記一対の導通孔間を導通する短絡配線と、を有し、
前記外部配線が、前記可撓性フィルムの前記表示用基板と対向する側の面と、前記導通
孔を介して前記短絡配線とで形成されることを特徴とする請求項２記載の表示装置。
【請求項４】
前記可撓性フィルムには、複数の前記フィルム配線が形成され、
前記外部配線が、前記フィルム配線のうちの空き配線で形成されることを特徴とする請
求項２又は請求項３に記載の表示装置。
【発明の詳細な説明】
【技術分野】
【０００１】
本発明は、液晶等の表示装置に関し、特に、配線が形成された表示部用の基板に半導体
装置を搭載する表示装置に関する。
【背景技術】
【０００２】
近年、液晶表示装置等において、例えば、画素を駆動するためのアモルファスＴＦＴを
駆動する回路等の駆動回路が搭載された駆動用ＩＣの１チップ化が進んでいる。
このような、駆動用ＩＣにおいては、外部から駆動用ＩＣに駆動用信号を伝送するため
、例えば、周辺回路としてフレキシブル基板を使用し、フレキシブル基板上の配線パター
ンと、駆動用ＩＣが搭載される透明絶縁基板に形成された配線パターンとを異方性導電膜
を用いて電気的に接続している（例えば、特許文献１参照）。
【特許文献１】特開平９−８０４５６号公報
【発明の開示】
【発明が解決しようとする課題】
【０００３】
上述のような１チップ化された駆動用Ｉでは、電源を内蔵しているが、この電源部分の
ＩＣ内部での配置位置はある程度の制約を受ける。また、細密プロセス化も進んでおり、
ＩＣ内部での配線抵抗の絶対値が上昇している。この結果、１チップドライバＩＣの電源
部に関する制約が大きくなって、ＩＣ自身の小型化が困難となり、またＴＦＴ等の駆動回
路用の安定した駆動電源を確保することが困難となっている。
そこで、この発明は、上記従来の未解決の問題に着目してなされたものであり、ＩＣ内
部での配線抵抗を低減し、安定した駆動電源を供給することの可能な表示装置を提供する
ことを目的としている。
【課題を解決するための手段】
【０００４】
上記した課題を解決するために、本発明の表示装置は、配線が形成された表示用基板と
、当該表示用基板上に実装される駆動用ＩＣと、を備えた表示装置において、前記駆動用
ＩＣの内部の電源用配線を外部配線として前記表示用基板側に設けると共に、前記駆動用
ＩＣに前記外部配線と接続可能な接続端子を設け、前記駆動用ＩＣ内部の電源用配線と前
記外部配線とを併用して前記駆動用ＩＣにおける電源供給が行われることを特徴としてい
る。
【０００５】
上記構成によれば、駆動用ＩＣにおける電源供給を、駆動用ＩＣ内部の電源用配線と、
表示部に用いられる表示用基板側に設けた外部配線との双方を併用して行うため、駆動用
ＩＣ内部の電源用配線及び表示用基板側に設けた外部配線の低抵抗化を比較的容易に図る
ことができ、安定した電源供給を行うことができると共に、駆動用ＩＣの小型化を図るこ
とができる。
【０００６】
また、上記した表示装置において、前記表示用基板に接続され且つ表示装置駆動用の信
号を伝送するためのフィルム配線が形成された可撓性フィルムを有し、前記外部配線が、
前記可撓性フィルムに形成されることを特徴としている。
上記構成によれば、前記表示用基板よりも配線抵抗が低い可撓性フィルムを用いること
により、前記外部配線の配線抵抗をより低減することができる。
【０００７】
また、上記した表示装置において、前記可撓性フィルムは、当該可撓性フィルムの一方
の面と他方の面との間を導通させる一対の導通孔と、前記可撓性フィルムにおける前記表
示用基板に接続される側の面とは逆側の面に形成され且つ前記一対の導通孔間を導通する
短絡配線と、を有し、前記外部配線が、前記可撓性フィルムの前記表示用基板と対向する
側の面と、前記導通孔を介して前記短絡配線とで形成されることを特徴としている。
上記構成によれば、短絡配線を用い、可撓性フィルムの両面を利用して外部配線を形成
することにより、他のフィルム配線を交差せずにこれを横切る形で外部配線を形成するこ
とができ、その分、外部配線の引き回しの長さを短縮することができる。
【０００８】
さらに、上記した表示装置において、前記可撓性フィルムには、複数の前記フィルム配
線が形成され、前記外部配線が、前記フィルム配線のうちの空き配線で形成されることを
特徴としている。
上記構成によれば、可撓性フィルムに形成されているフィルム配線のうち、空き配線を
利用して外部配線を形成することで、フィルム配線を無駄なく使用することができると共
に、配線形成のための処理工程の短縮を図ることができる。
【発明を実施するための最良の形態】
【０００９】
以下、本発明の実施の形態を説明する。
まず、第１の実施の形態を説明する。
図１は、本発明を適用した液晶表示装置の概略を示す断面図であり、図２は、本発明に
おける液晶表示装置の要部の概略を示す平面図である。
図２に示すように、液晶表示装置は、アレイ基板（表示用基板）１と、カラーフィルタ
基板２との２枚の基板を備えている。また、アレイ基板１上には、液晶表示装置を駆動す
るための駆動用ＩＣ４がＣＯＧ（Chip On Glass）法により実装されると共に、駆動用Ｉ
Ｃ４を駆動するための信号を伝送するための可撓性フィルム６が接続される。
図１に示すように、液晶表示装置は、アレイ基板１とカラーフィルタ基板２との間に、
液晶５と、液晶５を封止するための封止材８とを備える。
【００１０】
アレイ基板１には、公知のソース線、ゲート線、対向電極用配線等を構成する駆動用基
板配線１２及び可撓性フィルム６からの信号入力用の基板配線１４とが形成され、この信
号入力用基板配線１４と、これに対応する、可撓性フィルム６の片面のみに形成されたフ
ィルム配線１６とがＡＣＦ（Anisotropic Conductive Film  異方導電性接着テープ）等
の導電性接合剤１５を介して導通接着されている。さらに、信号入力用基板配線１４とこ
れに対応する駆動用ＩＣ４の信号入力用のバンプ４ａとが導電性接合剤１５を介して導通
接着されると共に、駆動用基板配線１２とこれに対応する駆動用ＩＣ４の駆動用基板配線
用のバンプ４ｂとが導電性接合剤１５を介して導通接着されている。なお、図１中の１５
ａは絶縁樹脂である。
【００１１】
図３は、駆動用ＩＣ４の概略構成を示すブロック図である。駆動用ＩＣ４は、左右に設
けられた、ＥＳＤ保護回路を含むゲート線駆動用のゲートドライバ１１及び１２を備え、
これらゲートドライバ１１及び１２の間に、ＥＳＤ保護回路を含むソースドライバ１３が
配置される。また、一次昇圧回路２１及び二次昇圧回路２２との間に、ＶＲＡＭ２３、Ｇ
／Ａ（ゲートアレイ）２４、ＶＲＡＭ２５がこの順で配置されると共に、これらと対向し
て一次昇圧回路２１及び二次昇圧回路２２との間に、ＥＳＤ保護回路を含むＩ／Ｏ（入出
力回路）２６が配置されている。前記一次昇圧回路２１及び二次昇圧回路２２との間は、
電源用配線２８で接続され、一次昇圧回路２１及び二次昇圧回路２２から図示しない配線
を介して各回路への電源供給が行われる。
【００１２】
また、図２に示すように、可撓性フィルム６のフィルム配線１６の一部の配線が駆動用
ＩＣ４の信号入力用の信号用配線１６ａとして用いられると共に、フィルム配線１６のう
ちの空き配線１６ｂを利用して、駆動用ＩＣ４の電源用配線２８に対応する外部配線３０
が形成されている。この外部配線３０は、駆動用ＩＣ４への信号用配線１６ａと交差しな
い位置に形成され、図２の場合には、フィルム配線１６のうちの両端の空き配線１６ｂを
利用して形成され、可撓性フィルム６のアレイ基板１に接続された側の端部から、可撓性
フィルム６の幅方向端部の空き配線１６ｂを通り、且つ可撓性フィルム６のアレイ基板１
に接続された側とは逆側の端部の、信号用配線１６ａの端部の外側を通って、アレイ基板
１に接続された側の端部に至る、可撓性フィルム６の両端の空き配線１６ｂの間に存在す
る信号用配線１６ａの外側を通る外回りの経路で、外部配線３０が形成されている。
【００１３】
そして、この外部配線３０が、この外部配線３０に対応する信号入力用基板配線１４、
駆動用ＩＣ４の外部配線３０用のバンプ（接続端子）４ａを介して一次昇圧回路２１及び
二次昇圧回路２２と接続されることにより、一次昇圧回路２１と二次昇圧回路２２との間
で、駆動用ＩＣ４内の電源用配線２８と可撓性フィルム６の外部配線３０との双方を併用
して電源供給が行われるようになっている。
【００１４】
ここで、可撓性フィルム６のフィルム配線１６は、Ｃｕ配線で構成されている。このＣ
ｕ配線のシート抵抗は、ほぼ、０〔Ω／□〕である。また、一次昇圧回路２１及び二次昇
圧回路２２間を駆動用ＩＣ４内の電源用配線２８と外部配線３０とを併用している。この
ため、駆動用ＩＣ４の電源用配線２８として、長さ２０〜３０ｍｍ、絶対線幅１８μｍ以
下のアルミ配線を用い、シート抵抗を０．１〔Ω／□〕程度に抑えた場合であっても十分
適用することができる。
【００１５】
したがって、駆動用ＩＣ４内部において電源用配線２８が占める割合を低減することが
できると共に、電源用配線２８のシート抵抗を低減することができることから、駆動用Ｉ
Ｃ４の小型化を図ることができると共に安定した電源供給を行うことができる。
また、このとき、外部配線３０を、可撓性フィルム６のフィルム配線１６のうちの空き
配線を利用して形成しているから、その分、外部配線３０用の配線として新たに生成する
手間を省略することができ、フィルム配線を有効に利用することができる。
なお、必ずしも空き配線を利用する必要はなく専用の配線を新たに形成するようにして
もよい。
【００１６】
次に、第２の実施の形態を説明する。
この第２の実施の形態は、上記第１の実施の形態において、可撓性フィルム６として、
両面にフィルム配線が形成された可撓性フィルムを用いたものである。上記第１の実施の
形態と同一部には同一符号を付与し、その詳細な説明は省略する。
図４は、第２の実施の形態における液晶表示装置の概略を示す断面図であり、図５は、
液晶表示装置の要部の概略を示す平面図である。
【００１７】
この第２の実施の形態において、可撓性フィルム６はその両面にフィルム配線を形成可
能に構成されている。この可撓性フィルム６には、図５に示すように、可撓性フィルム６
のアレイ基板１と対向する側の面と他方側の面とを導通する一対の導通孔６ａ、６ｂが形
成され、この導通孔６ａ、６ｂは、フィルム配線１６の幅方向両端付近の位置であり、且
つ、比較的アレイ基板１寄りの位置に形成されている。そして、可撓性フィルム６のアレ
イ基板１と対向する面とは逆側の面には、前記導通孔６ａ及び６ｂを導通接続しこれら間
を短絡する短絡配線７が形成されている。
【００１８】
そして、外部配線３０は、アレイ基板１と対向する基板側の面の、外部配線３０用の一
方の信号入力用基板配線１４と対向する位置から、一方の導通孔６ａを介して前記基板側
の面とは反対側の面に形成される短絡配線７を通り、他方の導通孔６ｂを介して外部配線
３０用の他方の信号入力用基板配線１４と対向する位置に至る経路で外部配線３０が形成
されている。
【００１９】
そして、この外部配線３０が、これに対応する外部配線３０用の信号入力用基板配線１
４、駆動用ＩＣ４の外部配線用のバンプ４ａを介して一次昇圧回路２１及び二次昇圧回路
２２と導通されることにより、一次昇圧回路２１と二次昇圧回路２２との間で、駆動用Ｉ
Ｃ４内の電源用配線２８と可撓性フィルム６の外部配線３０との双方を併用して電源供給
が行われる。
【００２０】
ここで、上述のように、外部配線３０は、可撓性フィルム６のアレイ基板１と対向する
基板側の面とは反対側の面に形成された短絡配線７を経由して形成されており、この短絡
配線７が形成された側の面と基板側の面の信号用配線１６ａとは交差することはない。し
たがって、短絡配線７を任意の位置に配置することができる。よって、この短絡配線７を
、比較的アレイ基板１寄りの位置に形成することによって、上記第１の実施の形態に示す
ように、可撓性フィルム６の長手方向端部を通る外回りの経路で外部配線３０を形成する
場合に比較して、外部配線３０をより短い経路で形成することができる。したがって、そ
の分、可撓性フィルム６における外部配線３０の引き回し長さを短くすることができ、ま
た可撓性フィルム６における外部配線３０の占有面積を低減することができる。また、可
撓性フィルム６の信号用配線１６ａが形成された側の面で、信号用配線１６ａと交差する
ことなく両端の空き配線１６ｂ間を導通する配線を形成することができない場合であって
も、信号用配線１６ａが形成された側の面とは逆側の面に形成した短絡配線７を用いるこ
とによって、容易に実現することができる。
【００２１】
なお、この第２の実施の形態においても、外部配線３０を、可撓性フィルム６の空き配
線を利用して形成してもよい。
また、上記各実施の形態においては、可撓性フィルム６を経由しての外部配線３０を形
成する場合について説明したがこれに限るものではなく、例えば図６に示すように、アレ
イ基板１のみを経由するように外部配線３０を形成してもよく、これによって可撓性フィ
ルム６の接続の有無に関わらず、上記と同等の作用効果を得ることができる。
また、上記実施の形態においては、液晶表示装置に適用した場合について説明したが、
これに限るものではなく、表示用基板に形成された基板配線駆動用の駆動用ＩＣを、前記
表示用基板に実装するようにした表示装置であれば適用することができる。
【図面の簡単な説明】
【００２２】
【図１】本発明を適用した液晶表示装置の概略を示す断面図である。
【図２】本発明における液晶表示装置の要部の概略を示す平面図である。
【図３】駆動用ＩＣの概略構成を示すブロック図である。
【図４】第２の実施の形態における液晶表示装置の概略を示す断面図である。
【図５】第２の実施の形態における液晶表示装置の要部の概略を示す平面図である。
【図６】本発明のその他の実施形態における液晶表示装置の要部の概略を示す平面図である。
【符号の説明】
【００２３】
１  アレイ基板、２  カラーフィルタ基板、４  駆動用ＩＣ、６  可撓性フィルム、２
８  電源用配線、３０  外部配線
【図１】
2008180848.tif 000003
【図２】
2008180848.tif 000004
【図３】
2008180848.tif 000005
【図４】
2008180848.tif 000006
【図５】
2008180848.tif 000007
【図６】
2008180848.tif 000008